(57)【要約】【課題】、サプリメントイノベーションの創造支援を実現することが可能なサプリメント創造探索システムを提供する。【解決手段】２以上の既存のサプリメントを構成する各成分間の連関度が規定された第５連関性を予め記憶したサーバ１３を備え、 新たに創造すべきサプリメントの条件として、含有させたい成分が規定された期待成分情報を取得し、サーバ１３において記憶された第５連関性を参照し、上記期待成分情報に規定された各成分に応じた他の成分の組み合わせを探索することを特徴とする。【選択図】図１１
2019145162.tif 000002
【特許請求の範囲】
【請求項１】
２以上の既存のサプリメントを構成する各成分間の連関度が規定された第５連関性を予め記憶したデータベースと、
新たに創造すべきサプリメントの条件として、含有させたい成分が規定された期待成分情報を取得する期待成分情報取得手段と、
上記データベースにおいて記憶された第５連関性を参照し、上記期待成分情報に規定された各成分に応じた他の成分の組み合わせを探索する探索手段とを備えること
を特徴とするサプリメント創造探索システム。
【請求項２】
上記データベースは、上記連関度の重み付けがその成分間の配合比率、又はその成分の組み合わせの出現頻度に基づいて予め決定された第５連関性を記憶すること
を特徴とする請求項１記載のサプリメント創造探索システム。
【請求項３】
上記探索手段は、上記期待成分情報取得手段により取得された各成分と他の成分との連関度、並びに他の成分同士の連関度に基づいて、新たに創造すべきサプリメントの成分組成を選択すること
を特徴とする請求項１又は２記載のサプリメント創造探索システム。
【請求項４】
上記探索手段は、各成分と他の成分との連関度、並びに他の成分同士の連関度の総合計値、各連関度の平均値、各連関度の分散の何れか１以上に基づいて新たに創造すべきサプリメントの成分組成を選択すること
を特徴とする請求項１〜３のうち何れか1項記載のサプリメント創造探索システム。
【請求項５】
上記探索手段は、上記第５連関性における成分の含有比率に基づいて上記他の成分の組み合わせを探索すること
を特徴とする請求項１〜４のうち何れか1項記載のサプリメント創造探索システム。
【請求項６】
上記探索手段は、人工知能により制御されること
を特徴とする請求項１〜５のうち何れか１項記載のサプリメント創造探索システム。
【請求項７】
上記探索されたサプリメントの評価結果が反映された評価データを抽出する評価データ抽出手段を更に備え、
上記探索手段を制御する人工知能は、上記評価データ抽出手段により抽出された評価データを上記各連関性に反映させること
を特徴とする請求項６項記載のサプリメント創造探索システム。
【発明の詳細な説明】
【技術分野】
【０００１】
本発明は、健康補助食品、栄養補助食品として摂取されるダイエタリー サプリメント(dietary supplement)（以下、サプリメントという。）を新たに創造する上でその成分組成を探索する上で好適なサプリメント創造探索システムに関する。
【背景技術】
【０００２】
サプリメントは、健康の維持増進、疾病予防、美容、アンチエイジング、栄養成分補強等を主目的として特に近年において急激に普及している。サプリメントは、通常、特定保健用食品（トクホ）、栄養機能食品、一般食品の３種に分類されており、通信販売や店舗等で販売されている。
【０００３】
トクホと栄養機能食品は、科学的根拠に基づく有効性と安全性について、商品毎に審査され、消費者庁長官より効果効能表示の許認可を受けた保健機能食品である。トクホには、体の生理学的機能等に影響を与える成分が含まれており、保健機能表示として、例えば「脂肪を消費しやすくする」、「免疫力を改善する」、「骨を強化する」等、特定の保健効果が、消費者庁許可マークと共に、パッケージ等に表示することできる。また栄養機能食品は、食生活等の理由により、不足しがちな栄養成分を補強する目的で摂取され、ビタミン類、ミネラル類に属する計１７種類の栄養成分を含む食品である。この栄養機能食品では、その含有成分の効能が表示できる。
【０００４】
一方、一般食品に分類されるサプリメントは、効果効能表示が景品表示法等によって禁止されている。このため、この種のサプリメントの摂取者は、自身の知識や判断に基づいて、摂取目的に見合った商品を選択し、購入するのが通常である。
【０００５】
このようなサプリメントが開発される過程においては、「免疫力を改善する」、「骨を強化する」等を始めとする期待する効能や、ラクトフェリン、コラーゲン、ビタミン等を始めとする体内へ補充したい補充希望成分に基づいて、成分設計が行われる。このようなサプリメントイノベーションの創発を促進するためには、これを支援するためのシステムを案出する必要があった。
【０００６】
従来よりイノベーション創造を支援するシステムは確かに従来において提案されている（例えば、特許文献１参照。）。この特許文献１には、入力される文字情報同士をグループ化して課題分析手法により課題分析を行い、アイデア創出処理は勿論であるが最終的にはそのシナリオまでも生成することを前提とした技術が開示されている。
【先行技術文献】
【特許文献】
【０００７】
【特許文献１】特開２００５−２８４５４８号公報
【発明の概要】
【発明が解決しようとする課題】
【０００８】
しかしながら、上述した特許文献１の開示技術によれば、イノベーターに対して解決コンセプトを必ずしも効果的に提示することができず、しかもサプリメントのイノベーション創発には対応した技術ではない。このため、上述した社会的要請には応えることができない。
【０００９】
そこで本発明は、上述した問題点に鑑みて案出されたものであり、その目的とするところは、サプリメントイノベーションの創造支援を実現することが可能なサプリメント創造探索システムを提供することにある。
【課題を解決するための手段】
【００１０】
第１発明に係るサプリメント創造探索システムは、２以上の既存のサプリメントを構成する各成分間の連関度が規定された第５連関性を予め記憶したデータベースと、新たに創造すべきサプリメントの条件として、含有させたい成分が規定された期待成分情報を取得する期待成分情報取得手段と、上記データベースにおいて記憶された第５連関性を参照し、上記期待成分情報に規定された各成分に応じた他の成分の組み合わせを探索する探索手段とを備えることを特徴とする。
【００１１】
第２発明に係るサプリメント創造探索システムは、第１発明において、上記データベースは、上記連関度の重み付けがその成分間の配合比率、又はその成分の組み合わせの出現頻度に基づいて予め決定された第５連関性を記憶することを特徴とする。
【００１２】
第３発明に係るサプリメント創造探索システムは、第１発明又は第２発明において、上記探索手段は、上記期待成分情報取得手段により取得された各成分と他の成分との連関度、並びに他の成分同士の連関度に基づいて、新たに創造すべきサプリメントの成分組成を選択することを特徴とする。
【００１３】
第４発明に係るサプリメント創造探索システムは、第１発明〜第３発明において、上記探索手段は、各成分と他の成分との連関度、並びに他の成分同士の連関度の総合計値、各連関度の平均値、各連関度の分散の何れか１以上に基づいて新たに創造すべきサプリメントの成分組成を選択することを特徴とする。
【００１４】
第５発明に係るサプリメント創造探索システムは、第１発明〜第４発明において、上記探索手段は、上記第５連関性における成分の含有比率に基づいて上記他の成分の組み合わせを探索することを特徴とする。
【００１５】
第６発明に係るサプリメント創造探索システムは、第１発明〜第５発明において、上記探索手段は、人工知能により制御されることを特徴とする。
【００１６】
第７発明に係るサプリメント創造探索システムは、第６発明において、上記探索されたサプリメントの評価結果が反映された評価データを抽出する評価データ抽出手段を更に備え、上記探索手段を制御する人工知能は、上記評価データ抽出手段により抽出された評価データを上記各連関性に反映させることを特徴とする。
【発明の効果】
【００１７】
上述した構成からなる本発明によれば、期待効能情報を入力することでそれに見合ったサプリメントの成分を自動的に探索してユーザに通知することができる。このため、サプリメントイノベーションの創発を促進させることが可能となる。
【図面の簡単な説明】
【００１８】
【図１】本発明を適用したサプリメント創造探索システムの構成例を示す図である。
【図２】本発明を適用したサプリメント創造探索システムの詳細なブロック構成を示す図である。
【図３】本発明を適用したサプリメント創造探索プログラムが使用されるコンサルティング業務を示す図である。
【図４】本発明を適用したサプリメント創造探索プログラムの処理動作のフローチャートである。
【図５】サプリメントを構成する既存の各成分又は各成分の組み合わせと、既に定義された各効能との連関度で記述される第１連関性を示す図である。
【図６】効能と各成分の含有率との間の連関度により記述される第２連関性を示す図である。
【図７】図６に示す第２連関性の他の例について説明するための図である。
【図８】サプリメントの提供形態と、サプリメントを構成する各成分又は各成分の含有率との間の連関度により記述される第３連関性を示す図である。
【図９】サプリメントの提供形態と、効能との間の連関性を規定した第４連関性を示す図である。
【図１０】属性情報との連関度も規定した第１連関性を示す図である。
【図１１】本実施形態において使用する第５連関性を示す図である。
【図１２】第５連関性においてそれぞれの成分の含有比率（含有量）が規定される例を示す図である。
【発明を実施するための形態】
【００１９】
以下、本発明を適用したサプリメント創造探索システムについて、図面を参照しながら詳細に説明をする。
【００２０】
参考実施形態
本発明を適用したサプリメント創造探索システム１は、例えば図１に示すような構成により具現化される。このサプリメント創造探索システム１は、システムを利用するユーザ用の端末１１と、この端末１１に対して公衆通信網１２を介して接続されるサーバ１３とを備えている。
【００２１】
公衆通信網１２は、端末１１間及びサーバ１３を通信回線を介して接続されるインターネット網等である。ちなみにこの端末１１を一定の狭いエリア内で運用する場合には、この公衆通信網１２を、ＬＡＮ（Local Area Network）で構成してもよい。また、この公衆通信網１２につきいわゆる光ファイバ通信網で構成してもよい。また、この公衆通信網１２は、有線通信網に限定されるものではなく、無線通信網で実現するようにしてもよい。
【００２２】
端末１１は、例えば、携帯電話、スマートフォン、タブレット型端末、ウェアラブル端末、パーソナルコンピュータ（ＰＣ）等であり、少なくともユーザの操作に基づいて公衆通信網１２を介して通信可能なデバイスである。端末１１は、ユーザが携帯可能とすることにより、常時持ち運びを可能とするデバイスであるが、これに限定されるものではなく、そえ置き型のＰＣ等、あらゆる電子機器を含む概念である。
【００２３】
なお、この端末１１は、後述するサプリメント創造探索プログラムを公衆通信網１２を介してダウンロードすることなく、店頭で販売されているパッケージソフトをインストールする場合には、公衆通信網１２を介した通信を行わない機器であってもよい。以下の例では、この端末１１につき、スマートフォンを適用する場合を例にとり説明をする。
【００２４】
図２は、端末１１の具体的な構成例を示している。この端末１１は、ＲＯＭ（Read Only Memory）２２と、データの蓄積や展開等に使用する作業領域としてのＲＡＭ(Random Access Memory)２３と、端末１１全体を制御するためのＣＰＵ（Central Processing Unit）を含む制御部２４と、操作ボタンやキーボード等を介して各種制御用の指令を入力するための操作部２５と、各種情報の表示を制御するための出力Ｉ／Ｆ１６と、ハードディスク等に代表され、実行すべき検索を行うためのプログラムを格納するための記憶部２７と、外部から端末１１内へデータを入力し、或いは端末１１において生成されたデータを外部へ出力するためのデータ入出力部２９が内部バス２１にそれぞれ接続されている。さらに、この内部バス２１には、通信Ｉ／Ｆ２８、音声入力部３１が接続されている。また、出力Ｉ／Ｆ１６には、実際に情報を表示するモニタとしての表示部２６が接続されている。
【００２５】
ＲＯＭ２２は、端末１１全体のハードウェア資源を制御するためのプログラムが格納されている。ＲＡＭ２３は、端末１１全体のハードウェア資源を制御するときの各種命令を一時的に記憶する。
【００２６】
制御部２４は、内部バス２１を介して制御信号を送信することにより、端末１１内に実装された各構成要素を制御するためのいわゆる中央演算ユニットである。また、この制御部２４は、操作部２５を介したユーザの操作に応じて各種制御用の指令を内部バス２１を介して伝達する。
【００２７】
操作部２５は、タッチパネル等で具体化され、ユーザが実際に解決したい問題に関する情報が入力される他、サプリメント創造探索プログラムを実行するための実行命令がユーザから入力される。この操作部２５は、上記実行命令がユーザにより入力された場合には、これを制御部２４に通知する。この通知を受けた制御部２４は、上記プログラムを記憶部２７から読み出して実行する。
【００２８】
出力Ｉ／Ｆ１６は、制御部２４による制御に基づいて表示画像を作り出すグラフィックコントローラにより構成されている。この出力Ｉ／Ｆ１６に接続される表示部２６は、例えば、液晶ディスプレイ（ＬＣＤ）等によって実現される。
【００２９】
記憶部２７は、ハードディスクで構成される場合において、制御部２４による制御に基づき、各アドレスに対して所定の情報が書き込まれるとともに、必要に応じてこれが読み出される。また、この記憶部２７には、本発明を実行するためのサプリメント創造探索プログラムが格納されている。このプログラムは制御部２４により読み出されて実行されることになる。
【００３０】
通信Ｉ／Ｆ２８は、公衆通信網１２と接続するための回線制御回路や、他の端末装置との間でデータ通信を行うための信号変換回路等が実装されている。通信Ｉ／Ｆ２８は、内部バス２１からの各種命令に変換処理を施してこれを公衆通信網１２側へ送出するとともに、公衆通信網１２からのデータを受信した場合にはこれに所定の変換処理を施して内部バス２１、或いは制御部２４へ送信する。
【００３１】
データ入出力部２９は、ＰＣ等の電子機器との間でＵＳＢ接続するためのコード等が接続される。このデータ入出力部２９を介して外部の機器との間でデータを入出力することが可能となる。
【００３２】
音声入力部３１は、ユーザから入力された音声を電子データに変換するためのデバイスである。
【００３３】
サーバ１３には、所定のデータベースが構築されている。このデータベースには、公衆通信網１２を介して送られてきた情報が蓄積される。また、このサーバ１３は、端末１１からの要求に基づいて、この蓄積した情報を公衆通信網１２を介して端末１１へと送信する。
【００３４】
なお、端末１１における何れか１以上の構成要素、或いはサーバ１３は、人工知能により制御されるものであってもよい。本発明への人工知能の具体的な応用方法は、従来における全ての公知の人工知能に関する情報の何れか１以上に基づくものであってもよい。
【００３５】
本発明を適用したサプリメント創造探索システム１は、端末１１内にインストールされたサプリメント創造探索プログラムを介して実行していくこととなる。即ち、ユーザは、端末１１を操作し、これにインストールされているサプリメント創造探索プログラムを通じ、サプリメントの開発を行っていくこととなる。このサプリメント創造探索プログラムは、図３に示すようにユーザが自らサプリメントイノベーターとしてサプリメントイノベーションを創発する上での支援ソフトウェアとして使用されるものである。サプリメント創造探索プログラムは、端末１１にインストールして使用する場合に限定されるものではなく、サーバ１３に記憶させておき、端末１１側から、使用の都度、サーバ１３にアクセスして使用するようにしてもよいことは勿論である。また、本発明の処理動作は端末側１１で一切行うことなく、公衆通信網１２側において実行し、端末１１はその公衆通信網１２にアクセスしていく形態も含まれる。
【００３６】
サプリメントイノベーション創発プロセスにおいては、新たに創造すべきサプリメントの条件を、先ず期待効能情報として入力する。この期待効能情報とは、実際にサプリメントを摂取する際において期待する効能や、サプリメントを摂取することで期待する身体の状況に関するあらゆる情報、並びに現在又は過去の症状や体調、或いは持病や健康上の問題点に関するあらゆる情報を含む。
【００３７】
この期待効能情報の例としては、鉄不足を解消したい、肥満を改善したい、糖尿病を解消したい、野菜不足を解消したい、目覚めをすっきりとさせたい、疲れを取りたい、不眠症を改善したい、頭をリフレッシュさせたい、免疫力を改善する、骨を強化する、脂肪を消費しやすくする、肌のハリをよくする、血液をサラサラに、疲れ目を治したい等のような期待する効能もあれば、単に鉄不足、肥満体質、高血圧、糖尿病、野菜不足、不眠症、疲れ目、血液がドロドロ等のような症状、体調、持病等がストレートに指定される場合もある。
【００３８】
これら期待効能情報の入力方法としては予め画面上に表示されている選択枝の中から選択するようにしてもよいし、文章や文字列で入力するようにしてもよい。この入力される期待効能情報は、１種類のみならず２種類以上入力されるものであってもよい。
【００３９】
ユーザは、この期待効能情報の入力を端末１１における操作部２５を介して手動で行い、又は音声入力部３１を介して音声により入力する。この入力において、他の端末１１やＰＣ等の電子機器において作成した期待効能情報をデータ入出力部２９から入力するようにしてもよい。またユーザが他の端末１１やＰＣ等の電子機器において作成したテキストデータを、公衆通信網１２を介して実際にサプリメント創造探索プログラムがインストールされた端末１１に送信するようにしてもよい。このようにして送信又は入力された期待効能情報は、記憶部２７に記憶されることとなる。
【００４０】
期待効能情報が入力された後に、実際にサプリメント創造探索プログラムが処理動作を実行していくこととなる。このサプリメント創造探索プログラムの処理動作フローを図４に示す。
【００４１】
サプリメント創造探索プログラムは、ステップＳ１１において期待効能情報の入力を受け付ける。ステップＳ１１において入力された期待効能情報の解析を行う（ステップＳ１２）。この解析については、期待効能情報が文字列で入力された場合には、既存のあらゆるテキストマイニング技術、データマイニング技術、言語解析処理技術等を用いて文字列を解析するようにしてもよい。また予め画面上に表示されている選択枝の中から選択された場合には、これをそのまま識別することとなる。
【００４２】
次に、このサプリメント創造探索プログラムは、解析対象の期待効能情報を単語、形態素、句、節等、あらゆる文法上の構造単位の中から何れか１以上の単位に亘り、文字列の抽出を行う。例えば期待する効能として「脂肪を消費しやすくする」というテキストデータがあった場合には、「脂肪」、「消費」等といった文字列を抽出することとなる。
【００４３】
或いは、予め画面上に表示されている選択枝の中から、期待する効能として「脂肪を消費しやすくする」という項目が選択された場合には、それを項目単位で抽出することとする。
【００４４】
ステップＳ１１において期待効能情報が２種類以上に亘り入力された場合には、このステップＳ１２においてそれぞれについて解析を行い、文字列をそれぞれ抽出することとなる。
【００４５】
次にサプリメント創造探索プログラムは、ステップＳ１３へ移行し、ステップＳ１２において抽出した期待効能情報に基づいて成分配合の探索を開始する。この探索を行う前において、サプリメント創造探索システム１は、サプリメントを構成する既存の各成分又は各成分の組み合わせに対する効能の連関性を予め取得しておく。この事前取得する連関性は、サーバ１３に記憶しておき、公衆通信網１２を介して端末１１側に送信するようにしてもよいし、端末１１毎の記憶部２７にこれを記憶させるようにしてもよい。このように記憶された連関性は、制御部２４による制御の下で読み出されて、成分配合の探索に使用されることとなる。
【００４６】
図５は、サプリメントを構成する既存の各成分又は各成分の組み合わせと、既に定義された各効能との連関度で記述される第１連関性を示している。ここでいうサプリメントを構成する既存の各成分は、従来より提案されているあらゆるサプリメントの構成成分を示しており、例えばナットキナーゼ、ニンニク、ビタミンＢ１、βカロチン、葉酸、カテキン等である。また、既に定義された効能とは、例えば、「疲れ目改善」、「肥満解消」、「肌のハリを良くする」、「血液をサラサラに」、「疲労改善」等である。これらの効能と成分の第１連関性は、従来において市販、流通、提案されているサプリメントの構成成分とその効能に基づいて予め作成される。この第１連関性は、新たなサプリメントが開発される度に、順次更新されるものであってもよい。
【００４７】
この第１連関性は、各サプリメントの成分が、予め定義された効能とどの程度連関しているかの度合を示すものであり、いわゆるニューラルネットワークで構成されていてもよい。サプリメントの成分である「ニンニク」については、「肌のハリを良くする」、「血液をサラサラに」、の第１連関性が規定されている。この第１連関性は、単に連関しているか否かの２値で定義されていてもよいし、アナログ的な表現方法で定義されていていてもよい。第１連関性のアナログ的な表現方法としては、「ニンニク」に対して「肌のハリを良くする」が８４％、「血液をサラサラに」が６０％等のように連関度が定量的に規定されていてもよい。仮に制御部２４が人工知能により制御されるものである場合に、これら連関度がいわゆる教師あり学習を行う場合における重み付け係数となる。
【００４８】
制御部２４は、このような第１連関性を参照し、サプリメントを探索していくこととなる。このとき、先ず制御部２４は、ステップＳ１２において解析した期待効能情報に基づき、実際に今回入力された期待効能情報が既に定義された効能の何れに該当するものなのかを判断する。仮にテキストマイニング解析した期待情報効能が、「疲れ目」「改善」であれば、既に定義された効能である「疲れ目改善」と同一の文言であるたけ、これに該当するものと容易に判断することができる。ステップＳ１１において入力された期待効能情報がテキスト情報で「太り過ぎ」であった場合には、これと同一の文言で構成される効能が存在しない。但し、太り過ぎのユーザにとって課題は、肥満解消であるため、効能として「肥満解消」が選択されることとなる。期待効能情報としての「太り過ぎ」を「肥満解消」に結びつける方法としては、例えば「肥満解消」に関連するキーワードのグループを予め登録しておく。この「肥満解消」に対するキーワードのグループ例としては、例えば「太」、「脂肪」、「デブ」、「fat」、「ダイエット」、「痩せたい」、「体脂肪率」、「メタボ」等を登録しておく。これにより、期待効能情報として、例えば、「ダイエットしたい」とか、「メタボを解消したい」といった文字列が入力された場合においても、この「肥満解消」の効能が選択されることとなる。
【００４９】
制御部２４は、この期待効能情報に基づいて選択した効能と連関性の高いサプリメントの成分を、上述した第１連関性に基づいて探索することとなる。例えば選択した効能が「疲労改善」である場合、第１連関性を参照した場合、その「疲労改善」と連関性の高い成分は、「ニンニク」と「葉酸」である。このため、探索すべきサプリメントとして「ニンニク」と「葉酸」を選択することとなる。同様に選択した効能が「肥満解消」である場合、第１連関性を参照した場合、その「肥満解消」と連関性の高い成分は、「ビタミンＢ１」と「葉酸」と「カテキン」であるため、これらを選択することとなる。
【００５０】
このように、入力された期待効能情報が、一つの効能に集約されるものであれば、この第１連関性を参照することで、従来よりその効能に効き目があるとされているサプリメントの成分をそのまま選択すればよいこととなる。
【００５１】
一方、入力された１つの期待効能情報が２以上の効能に属する場合もありえる。この例として、効能としての「血液をサラサラに」及び「肥満解消」のキーワードグループに「メタボ」が含まれ、入力された一つの期待効能情報が「メタボ」であった場合である。効能としての「血液をサラサラに」には、それに特化した最適なサプリメントの成分が第１連関性を介して規定され、効能としての「肥満解消」には、それに特化した最適なサプリメントの成分が第１連関性を介して規定されているが、「メタボ」の解消については、それに特化したサプリメントの成分が第１連関性を介して登録されていない状態である。
【００５２】
本発明では、かかる場合において、この「メタボ」に特化したサプリメントの成分を新たに設計していくこととなる。かかる場合には、この「メタボ」が属する「血液をサラサラに」、「肥満解消」の２つの効能と連関性の高い成分として、「ナットキナーゼ」、「ニンニク」、「ビタミンＢ１」、「βカロチン」、「カテキン」がある。制御部２４は、これらの中から１以上の成分を選択し、成分設計を行っていくこととなる。この成分選択の組み合わせの数としては、５×４×３×２×１＝１２０通り存在するが、当初はどれがメタボに対して最も高い効能を発揮するのかは不明である。このため、この１２０通りの組み合わせからランダムに１の組み合わせを選択するようにしてもよいし、「肥満解消」と連関性の高い成分「ビタミンＢ１」、「βカロチン」、「カテキン」に加えて、残りの「ナットキナーゼ」、「ニンニク」についてはランダムに１以上選択するようにしてもよい。
【００５３】
また入力された２以上の期待効能情報が２以上の効能に属する場合もある。例えば、２つの期待効能情報が入力され、そのうちの一つが「肥満解消」であり、もう一つが「血液をサラサラに」にそれぞれ帰結することを解析した場合等である。かかる場合も上述と同様に「肥満解消」、「血液をサラサラに」の各効能と連関性の高い成分から１以上を選択することとなる。
【００５４】
なお、この成分の選択は１の成分のみが選択されるものであってもよいし、複数の成分の組み合わせが選択されるものであってもよい。
【００５５】
次にステップＳ１４に移行し、このようにして選択されたサプリメントの成分をユーザに通知する。ユーザへの通知方法としては例えば表示部２６を介して画像により表示するようにしてもよいし、音声入出力３１を介して音声により通知してもよい。また図示しないプリンターを介して、選択されたサプリメントの成分を印刷するようにしてもよい。
【００５６】
ユーザは、この通知されたサプリメントの成分に基づいてサプリメントを製造、販売、流通させていくこととなる。
【００５７】
なお本発明によれば、制御部２４が人工知能により制御される場合には、この第１連関性を学習により更新するようにしてもよい。上述したように、サプリメントの成分は、第１連関性による教師あり学習に基づいて探索されるものである。このような第１連関性に対してサプリメントの評価結果が反映された評価データを反映させるようにしてもよい。
【００５８】
ここでいう評価データは、製造販売された上述のサプリメントを購入し、摂取した顧客による感想や口コミ等が反映されたデータや、販売前の試作の段階においてパネラーに上述のサプリメントを摂取させて上で述べてもらった感想のデータ、或いはサプリメントにつき、各種官能基センサを介して検出されたデータや、体温、血圧、血液、体重、心電図等の身体の一時的又は長期的な検査データ等も含まれる。更には、他の医者や評価者による評価も含まれることから、必ずしもサプリメント摂取者から発せられる評価には限定されない。この評価データの例としては、ステップＳ１４により通知された成分配合からなるサプリメントを摂取した者が、「体調が良くなった」、「体重が低下した」、「夜ぐっすり眠れるようになった」、「朝の目覚めが爽快だった」、「肩こりが治った」という肯定的な感想もあれば、「体調が良くならない」、「体重が増加した」、「不眠症が治らない」、「吐き気がする」等の否定的な感想も含まれる。
【００５９】
評価データは、例えば試作品を摂取したパネラーに対して実施するアンケート調査や、実際に販売品を購入した顧客によるインターネット上のサイトへの書き込み、Twitter（登録商標）、ＬＩＮＥ（登録商標）等の書き込み等から公衆通信網４を介して取得するようにしてもよい。
【００６０】
アンケート調査に基づく評価データや身体検査等にも届く評価データは、アンケート票や検査結果に基づいて操作部２５又はデータ入出力部２９を介して入力されることとなり、公衆通信網４からの評価データは、通信Ｉ／Ｆ２９を介して取得することとなる。
【００６１】
ちなみに、この評価データは、評価をした者が少なくともいかなる成分からなるサプリメントを摂取したか特定できることが前提となる。パネラーに対するアンケート調査では、いかなるサプリメントをパネラーに摂取させたか容易に特定ができる。また公衆通信網４から評価データを取得する場合には、インターネット上の書き込みの内容を分析することで、少なくともサプリメントの商品名が特定できれば、その成分も容易に特定することが可能となる。
【００６２】
制御部２４は、このような評価データを取得し、これを解析する。この解析は、一般的な周知のテキストマイニング技術に基づくものであってもよい。テキストマイニング技術を介して、肯定的な評価か、否定的な評価かを特定することとなる。
【００６３】
仮にこの特定した評価データが肯定的であれば、ステップＳ１３において探索解として選択したサプリメントが適切な成分であったことが分かる。かかる場合に、制御部２４は、この第１連関性の連関度につき、特に何もしないか、或いは実際にそのサプリメントを提案するに当たり、当該サプリメントに帰結する矢印で結ばれる連関度を高くするように更新する。図５の例でいえば、「肥満解消」、「血液をサラサラに」の２つの効能に帰結する文字列が期待効能情報として入力され、そのサプリメントの成分として、「ビタミンＢ１」、「カテキン」「ナットキナーゼ」を探索解として選択した結果、実際にパネラーから肯定的な評価データを得た場合は、第１連関性において、「肥満解消」、「血液をサラサラに」の２つの条件に対する成分としての「ビタミンＢ１」、「カテキン」「ナットキナーゼ」の連関度をより高くするように更新を行う。
【００６４】
仮に「メタボ」の効能に対して、「βカロチン」、「カテキン」、「ナットキナーゼ」、「ニンニク」を探索解として選択した結果、実際にパネラーから否定的な評価データを得た場合は、第１連関性において、「メタボ」の条件に対する成分としての「βカロチン」、「カテキン」、「ナットキナーゼ」、「ニンニク」の連関度をより低くするように更新を行う。或いは、この「メタボ」に関連性の高い「肥満解消」、「血液をサラサラに」の２つの効能に対する「βカロチン」、「カテキン」、「ナットキナーゼ」、「ニンニク」の連関度をより低くするように更新を行う。このとき、新たに「メタボ」という効能を定義してもよい。この「メタボ」の効能は、既に定義された効能として第１連関性に登録されることとなる。
【００６５】
人工知能により制御される制御部２４は、このようにして評価データに基づいて第１連関性を更新することで学習を行う。このような学習を繰り返し行うことにより、ユーザが真に期待する効能が反映された期待効能情報に対して、より優れた効能を発揮しえるサプリメントの成分が選ばれるような第１連関性に順次更新されることとなる。
【００６６】
なお、本発明によれば、図６に示すように効能と各成分の含有率との間の連関度により記述される第２連関性を更に参照するようにしてもよい。上述した図５の第１連関性において「疲れ目」に対して「ナットキナーゼ」は連関性が高いものとされているが、この「ナットキナーゼ」がいかなる含有率（含有量）であるときに、この「疲れ目」に対する効能を効果的に発揮するかを規定したのが第２連関性である。図６の例に拠れば、ナットキナーゼが１ｍｇのときは、連関度が２１％、１．５ｍｇのときは連関度が２６％、２ｍｇのときは連関度が５６％、２．５ｍｇのときは８１％、３ｍｇのときは連関度が４５％である。この第２連関性における連関度もいわゆる教師あり学習を行う場合における重み付け係数となることは勿論である。即ち、このナットキナーゼが２．５ｍｇのときに最も「疲れ目」に効果を発揮し易いことが示されている。第１連関性では、単に成分を含めるか否かを選択するものであるが、第２連関性を参酌するのであれば、具体的な成分の含有量までも探索解として求めることができる。この第２連関性は、上述した図５におけるサプリメントの他の成分についても同様に含有率毎に設定されている。各成分につきそれぞれ設定される含有率は、０．５ｍｇ単位でグループ分けされているがこれに限定されるものではなく、いかなる単位でグループ分けされるものであってもよい。
【００６７】
またサプリメントの成分につき２以上の効能と第２連関性を持つ場合がある。例えば「ナットキナーゼ」は、「疲れ目改善」、「肌のハリを良くする」の２つの効能と連関性を持つ。かかる場合における「ナットキナーゼ」の各成分に対する第２連関性は、図７に示すように、「疲れ目改善」、「肌のハリを良くする」からそれぞれ繋がるものとなり、それぞれについて連関度が定義される。「疲れ目」のみであれば、「ナットキナーゼ」が２ｍｇと選択されるところ、「肌のハリ」においては「ナットキナーゼ」が２．５ｍｇのところに連関度が最も高くなっている。このため、「疲れ目改善」、「肌のハリを良くする」の双方の効能を満足する上で「ナットキナーゼ」が２ｍｇ、又は２．５ｍｇの何れか選択されるかはケースバイケースとなる。即ち、「疲れ目改善」、「肌のハリを良くする」のそれぞれから繋がる連関度の重み付け後の値の総合計を求めて、所定の閾値を超えている場合に、その成分に該当するものと判断し、所定の閾値以下の場合にはその成分に該当しないものと判断するようにしてもよい。この閾値は成分毎に異なるものであってもよい。また、「疲れ目」、「肌のハリ」等の効能自体に元々の重み付けが設定されていてもよい。
【００６８】
なお、上述した第２連関性は、上述の連関度が定量的に規定されている場合に限定されるものではなく、単に連関しているか否かの２値で定義されていてもよい。
【００６９】
このように本発明は、期待効能情報に応じた１又は２以上の効能を特定し、上記データベースにおいて取得された第１連関性や第２連関性を参照し、上記特定した効能に応じた成分又は成分の組み合わせ、或いは成分の含有率又は成分の含有率の組み合わせを探索解として選択することができる。
【００７０】
また本発明によれば、図８に示すようにサプリメントの提供形態と、サプリメントを構成する各成分又は各成分の含有率との間の連関度により記述される第３連関性を更に参照するようにしてもよい。図８の例によれば、サプリメントの提供形態として、錠剤、顆粒、カプセル、液体、粉等の各種が予め定義されている。これらの各提供形態に対して、サプリメントを構成する各成分が第３連関性を通じて予め定義されている。この第３連関性は、連関度が定量的に規定されている場合に限定されるものではなく、単に連関しているか否かの２値で定義されていてもよい。
【００７１】
ある成分が第１連関性、第２連関性を介して選択された場合において、その成分と第３連関性の高いサプリメント提供形態がより選択される可能性が高くなる。例えば、「顆粒」が成分としての「ニンニク」、「ビタミンＢ１」、「βカロチン」と連関度が高い場合、これらの何れか１以上の成分が第１連関性、第２連関性を介して選択された場合には、この「顆粒」が選択される場合が多い。
【００７２】
また「ニンニク」が顆粒、カプセルとともに第３連関性が高い場合において、その何れが選択されるかは、それぞれの具体的な連関度や、選択された他の成分における顆粒、カプセルとの連関度によって決まる。例えば、第１連関性、第２連関性を介して「ニンニク」、「ビタミンＢ１」が選択された場合に、これらは共に「顆粒」、「カプセル」と連関度が高いが、何れが選択されるかは、「顆粒」、「カプセル」のそれぞれから繋がる連関度の重み付け後の値の総合計を求めて、所定の閾値を超えている場合に、その成分に該当するものと判断し、所定の閾値以下の場合にはその成分に該当しないものと判断するようにしてもよいし、総合計が最も高い方を選択するようにしてもよい。ちなみにこの閾値は成分毎に異なるものであってもよい。
【００７３】
このように本発明によれば、第３連関性を参照し、探索した成分又は成分の組み合わせに応じたサプリメントの提供形態を探索することができる。
【００７４】
また本発明によれば、図９に示すようにサプリメントの提供形態と、効能との間の連関性を規定した第４連関性を更に参照するようにしてもよい。図９の例によれば、サプリメントの提供形態として、錠剤、顆粒、カプセル、液体、粉等の各種が予め定義されている。これらの各提供形態に対して、効能が第４連関性を通じて予め定義されている。この第４連関性は、連関度が定量的に規定されている場合に限定されるものではなく、単に連関しているか否かの２値で定義されていてもよい。
【００７５】
ある期待効能情報に基づいて効能が特定された場合において、その成分と第４連関性の高いサプリメント提供形態がより選択される可能性が高くなる。例えば、「顆粒」が効能としての「肥満解消」、「肌のハリを良くする」と連関度が高い場合、これらの何れか１以上の効能が期待効能情報に基づいて特定された場合には、この「顆粒」が選択される場合が多い。
【００７６】
また「肥満解消」が錠剤、顆粒ともに第４連関性が高い場合において、その何れが選択されるかは、それぞれの具体的な連関度や、選択された他の成分における錠剤、顆粒との連関度によって決まる。例えば、期待効能情報を介して「肥満解消」、「肌のハリを良くする」が選択された場合に、これらは共に「錠剤」、「顆粒」と連関度が高いが、何れが選択されるかは、「錠剤」、「顆粒」のそれぞれから繋がる連関度の重み付け後の値の総合計を求めて、所定の閾値を超えている場合に、その成分に該当するものと判断し、所定の閾値以下の場合にはその成分に該当しないものと判断するようにしてもよいし、総合計が最も高い方を選択するようにしてもよい。ちなみにこの閾値は成分毎に異なるものであってもよい。
【００７７】
このように本発明によれば、第４連関性を参照し、効能に応じたサプリメントの提供形態を探索することができる。
【００７８】
なお、本発明では、更に図１０に示すように、サプリメントを構成する既存の各成分又は各成分の組み合わせと、既に定義された各効能に加え、属性情報との連関度を規定した第１連関性に基づいて、上述した探索を行うようにしてもよい。この属性情報とは、例えば、サプリメントを提供する顧客層の年齢、性別、職業、国籍、住所といった一般的な個人情報のみならず、その顧客層に関する身体、精神、持病に関する情報として、肥満体形、痩せ型、妊娠中、ダイエット中、高血圧、糖尿病、虚弱体質、お酒に弱い、不整脈等を含むものである。またこの属性情報は、体調として、頭痛、胃腸の調子が良くない、欝状態、風邪気味等を含むものであってもよいし、疲労度や体温、血圧等のデータが含まれるものであってもよい。
【００７９】
属性情報は、効能と互いに関係しあって、サプリメントの各成分と連関性が設定される場合が多い。効能が「脂肪多い」である場合には、これに対して最も効き目のある成分が、「ビタミンＢ１」と「カテキン」である場合、更に高血圧の顧客層は、「カテキン」が高い確率を以って選択されるようにするために、この属性情報「高血圧」と「カテキン」との第１連関性が高くなるように設定されていることが好ましいといえる。同じく高血圧の顧客層については、高血圧に効き目のある「ナットキナーゼ」が高い確率を持って選択されるように第１連関性が設定されている。これ以外に、男女別、年齢等、あらゆる属性情報に応じて最適なサプリメントが選択される可能性が高くなるように第１連関性が設定されていてもよい。その結果、男女別、年齢別に合わせた最適なサプリメントを選択することができる。
【００８０】
属性情報は、例えば操作部２５やデータ入出力部２９を介して入力される。この属性情報はテキスト情報で入力されるものであってもよいし、選択肢の中から選択する形式で入力されるものであってもよい。入力された属性情報並びに期待効能情報に基づき、図１０における左列の効能、属性情報が特定され、これらと第１連関性の高い成分が選択されることとなる。
【００８１】
このように第１連関性が、効能に加え、属性情報が含められていることで、顧客層の年齢、性別、健康状態や体調、持病等を考慮しつつ、効能との関係で最適なサプリメントを探索することが可能となる。
【００８２】
また、この属性情報は、上述した第２連関性〜第４連関性の何れにおいても含まれるものであってもよい。
【００８３】
また本発明によれば、制御部２４が人工知能により制御される場合には、この第２連関性を学習により更新するようにしてもよい。上述したように、選択されるサプリメントの成分は、第２連関性に基づく教師あり学習により探索されるものである。このような第２連関性につき、サプリメント摂取者の評価が反映された評価データをそれぞれ反映させるようにしてもよい。
【００８４】
仮に評価データが肯定的であれば、第２連関性を介して選択したサプリメントの成分の含有量が、適切であったことが分かる。かかる場合に、制御部２４は、この第２連関性の連関度につき、特に何もしないか、或いは実際にそのサプリメントの成分の含有量を選択するに当たり、当該の含有量に帰結する矢印で結ばれる連関度を高くするように更新する。仮にこの特定した評価データが否定的であれば、第２連関性を介して選択したサプリメントの含有量が、不適切であったことが分かる。かかる場合に、制御部２４は、この第２連関性の連関度につき、実際にその含有量を選択するに当たり、当該含有量に帰結する矢印で結ばれる連関度を低くするように更新する。
【００８５】
なお、上述した実施の形態においては、評価データが肯定的か、否定的かの２段階によってランク付けされ、これに応じて第２連関性の連関度を変化させる場合を例にとり説明をしたが、これに限定されるものではない。例えば、この評価データが３段階以上にランク付けされ、その３段階以上のランクに応じて第２連関性を変化させるようにしてもよい。
【００８６】
同様に、制御部２４が人工知能により制御される場合には、この第３連関性、第４連関性を学習により更新するようにしてもよい。上述したように、選択されるサプリメントの提供形態は、第３連関性、第４連関性に基づく教師あり学習により探索されるものである。このような第３連関性、第４連関性につき、サプリメント摂取者の評価が反映された評価データをそれぞれ反映させるようにしてもよい。この第３連関性、第４連関性の学習における評価データの取得方法、解析方法は上述したとおりである。
【００８７】
仮にこの特定した評価データが肯定的であれば、第３連関性、第４連関性を介して選択したサプリメントの提供形態が、適切であったことが分かる。かかる場合に、制御部２４は、この第３連関性、第４連関性の連関度につき、特に何もしないか、或いは実際にそのサプリメントの提供形態を選択するに当たり、当該成分に帰結する矢印で結ばれる連関度を高くするように更新する。図８の例でいえば、成分が「ニンニク」であり、選択した提供形態が「顆粒」であった結果、実際に「ニンニク」を顆粒化したサプリメントを摂取した者から例えば「飲み易かった」等の肯定的な評価データを得た場合は、第３連関性において、この「ニンニク」と「顆粒」との連関度を高くする。一方、「飲みにくかった」等の否定的な評価データを得た場合には、第３連関性において、この「ニンニク」と「顆粒」との連関度を低くする。
【００８８】
人工知能による制御される制御部２４は、このようにして評価データに基づいて第３連関性、第４連関性を更新することで学習を行う。このような学習を繰り返し行うことにより、第３連関性、第４連関性が、効能や成分に対してより適切なサプリメントの提供形態が選ばれるように適正化させることが可能となる。
【００８９】
なお、上述した実施の形態においては、評価データが肯定的か、否定的かの２段階によってランク付けされ、これに応じて第３連関性、第４連関性の連関度を変化させる場合を例にとり説明をしたが、これに限定されるものではない。例えば、この評価データが３段階以上にランク付けされ、その３段階以上のランクに応じて第３連関性、第４連関性を変化させるようにしてもよいことは勿論である。
【００９０】
なお、上述した第１連関性〜第４連関性は、ニューラルネットワークで構成されていてもよく、通常の教師ありの機械学習以外に深層学習を取り入れてこれを更新するようにしてもよいことは勿論である。
【００９１】
本実施形態
次に本発明を適用したサプリメント創造探索システム１の本実施形態について説明をする。この本実施形態では、上述した参考実施形態において説明したサプリメント創造探索システム１を使用して、新たに創造すべきサプリメントの成分探索を行う。このため、このサプリメント創造探索システム１の構成の説明は、参考実施形態における説明を引用することにより、以下での説明を省略する。
【００９２】
本実施形態では、図１１に示すような第５連関性を参照しつつ、成分探索を行う。この第５連関性は、既存のサプリメント毎に予め規定されている。例えば既存のサプリメントＡは、図１１（ａ）に示すように、その構成成分が、ビタミンＢ１、ビタミンＣ、パントテン酸、ビオチン、カテキン、ナイアシン、葉酸、ラクトフェリンから構成されるものとする。この図１１（ａ）における各成分間を連結している線が連関度を示している。この線の太さは、連関度の重み付けを示すものである。この成分間を連結している線が太いほど、その成分間の連関度が高いことを意味している。一方、この成分間を連結している線が細ほどその成分間の連関度が低くなり、特に成分間において連結線が存在しない場合には、より連関度が低いことを意味している。
【００９３】
この連関度の重み付けは、その成分間の配合比率に基づくものであってもよい。例えばこのサプリメントＡでは、ナイアシンとビオチン間の線が太くなっており、連関度の重み付けが大きいことを意味しているが、その根拠として、ナイアシンとビオチンの配合比率が他の成分と比較してより高いことを意味している。一方、ビタミンＢ１、パントテン酸、カテキンも互いに連関度の重み付けが小さいが、その根拠として、ビタミンＢ１、パントテン酸、カテキンが他の成分と比較してより低いことを意味している。このように、成分の配合比率が同時に高いグループ、同時に低いグループがともに連関度が高くなるように予め設定されていてもよい。
【００９４】
また、この連関度の重み付けは、その成分の組み合わせの出現頻度に基づくものであってもよい。上述したビオチンとナイアシンは、一のサプリメント内において同時に含まれる成分であるが、他のサプリメントにおいてもビオチンとナイアシンは同時に含まれる場合が多いため、同時含有頻度が高いことから連関度の重み付けを重くしている。このような連関度からなる第５連関性を作る上で、２以上の既存のサプリメントの成分を数多く調査し、その成分の同時含有頻度を確認する。その結果、各サプリメントにおいて同時含有頻度が高い成分同士は互いに結びつきが強いため、連関度の重み付けを重くする。一方、各サプリメントにおいて同時含有頻度が低い成分は、互いに結びつきが弱いため、連関度の重み付けを軽くする。例えば、各サプリメントにおいて、ラクトフェリン又はナトリウムの何れか一方のみしか含有されていない場合が多い場合には、同時含有頻度が低いものとして、この連関度の重み付けを軽くする。
【００９５】
なお、成分間の連関度の算出方法は、上述した方法に限定されるものではなく、サプリメントの成分間の関係性の強さを規定するものであればいかなる方法に基づいてもよい。
【００９６】
このような第５連関性を参照して成分探索を行う際には、新たに創造すべきサプリメントの条件として、含有させたい成分に関する期待成分情報が外部から入力される。この期待成分情報は、新たに創造すべきサプリメントにおいて是非含めたい成分であるとユーザ自身が考えているものであり、例えば、「カテキン」とか「ビタミンＢ１」等の成分名が具体的に入力される。このとき、この期待成分情報には、含有させたい成分が１種類のみ入力される場合に限定されるものではなく、２種類以上が入力されるものであってもよい。この期待成分情報は、例えばデータ入出力部２９、操作部２５、又は公衆通信網１２を介して入力される。
【００９７】
制御部２４は、このような期待成分情報を取得し、これに記述されている、含有させたい成分を特定する。制御部２４は、上述した第５連関性が記憶されている記憶部２７からこれを読み出して参照し、期待成分情報に規定された各成分に応じた他の成分の組み合わせを探索する。
【００９８】
例えば、期待成分情報に規定された成分が「パントテン酸」であった場合、図１１（ａ）に示すサプリメントＡと、図１１（ｂ）に示すサプリメントＢの第５連関性を参酌するものと仮定する。このとき、「パントテン酸」と連関度の高いのは、サプリメントＡにおいて「ビタミンＢ１」、「カテキン」であり、サプリメントＢにおいて「ビタミンＣ」である。制御部２４は、このように各サプリメントにおける連関度を参照した上で、この「パントテン酸」を含有させるとともに、これと連関度の高い成分として、「ビタミンＢ１」、「カテキン」、「ビタミンＣ」を選択するようにしてもよい。また、選択した「ビタミンＢ１」、「カテキン」、「ビタミンＣ」と連関度の高い他の成分を選択するようにしてもよい。このようにして、選択した他の成分と更に連関度の高い成分を順次選択することで、パントテン酸を中心にした連関度の高い成分を、一又は複数のサプリメントの第５連関性に基づいて順次選択することができる。またサプリメントＡ、Ｂのみならず、他のサプリメントにおける第５連関性を参照し、その期待成分情報に規定された成分を中心に連関度の高い成分を選択するようにしてもよい。
【００９９】
また制御部２４は、期待成分情報に規定された成分と連関度の高い他の成分を選択する場合に限定されるものではなく、連関度が平均的な他の成分を選択するようにしてもよいし、逆に連関度が低い他の成分を選択するようにしてもよい。
【０１００】
また制御部２４は、成分間の連関度の分散がより大きくなる成分の組み合わせ、平均的な成分の組み合わせ、より小さい成分の組み合わせの何れかを選択するようにしてもよい。これら各グループは、上述した期待成分情報に規定された成分を含むものとする。
【０１０１】
制御部２４は、他には成分間の連関度の総合計値に基づいて最適な成分の組み合わせを選択するようにしてもよい。かかる場合には、連関度の総合計値が最大となる成分の組み合わせや最小となる成分の組み合わせを選択するようにしてもよい。
【０１０２】
制御部２４は、他には成分間の各連関度の平均値が所定の閾値に入っている成分の組み合わせを選択するようにしてもよいし、各組み合わせの平均値を上からソートして何番目のものを採用するか予めルールを決めて選択するようにしてもよい。
【０１０３】
何れのケースにおいても、制御部２４は、複数のサプリメントにおける第５連関性を参照し、期待成分情報に規定された成分を含むようにしつつ、成分を選択していくこととなる。このとき、第５連関性に規定されている連関度に基づくものであれば、上述したルールに限定されるものではなく、いかなるルールの下で新たに創造すべきサプリメントの成分を選択するようにしてもよい。
【０１０４】
なお、期待成分情報において、新たに創造するサプリメントの構成成分として２以上の成分が指定された場合においても同様に、これらを含むようにしつつ他の成分を第５連関性に規定されている連関度に基づいて選択することとなる。
【０１０５】
なお本発明によれば、制御部２４が人工知能により制御される場合には、この第５連関性を学習により更新するようにしてもよい。本実施形態において、新たに創造すべきサプリメントの成分は、第５連関性による教師あり学習に基づいて探索されるものである。このような第５連関性に対してサプリメント摂取者の評価が反映された評価データを反映させるようにしてもよい。
【０１０６】
この評価データの詳細、取得方法は、上述した参考実施形態と同様であるため、以下での説明を省略する。
【０１０７】
人工知能による制御される制御部２４は、このようにして評価データに基づいて第１連関性を更新することで学習を行う。このような学習を繰り返し行うことにより、ユーザが真に期待する成分が反映された期待成分情報に対して、より優れた成分の組み合わせからなるサプリメントを創造できるような第５連関性に順次更新されることとなる。
【０１０８】
特定した評価データが肯定的であれば、第５連関性を介して選択したサプリメントの成分が、適切であったことが分かる。かかる場合に、制御部２４は、この第５連関性の連関度につき、特に何もしないか、或いは実際にそのサプリメントにつき選択した成分間の線の太さで表現される連関度を高くするように更新する。仮にこの特定した評価データが否定的であれば、第５連関性を介して選択したサプリメントの成分が、不適切であったことが分かる。かかる場合に、制御部２４は、この第５連関性の連関度につき、そのサプリメントにつき選択した成分間の線の太さで表現される連関度が低くなるように更新する。
【０１０９】
なお、上述した実施の形態においては、評価データが肯定的か、否定的かの２段階によってランク付けされ、これに応じて第５連関性の連関度を変化させる場合を例にとり説明をしたが、これに限定されるものではない。例えば、この評価データが３段階以上にランク付けされ、その３段階以上のランクに応じて第５連関性を変化させるようにしてもよい。
【０１１０】
更にこの本実施形態においては、第５連関性につき、図１２に示すように単に成分間において連関度が規定されているだけでなく、それぞれの成分の含有比率（含有量）が規定されていてもよい。この図１２の各成分に併記されている数値が含有量であると仮定する。実際に第５連関性に規定される連関度に基づいて、成分を選択する際に、この含有比率に基づくようにしてもよい。かかる場合には、例えば図１２（ａ）に示すようにサプリメントＡにおいて、パントテン酸とカテキンは互いに連関度が高いため、これらを選択しようとしたが、双方とも含有量が高い。仮にその選択の境界条件として、含有量が頼りも高い成分は選択しないポリシーとしている場合には、その成分は選択しないように制御する等、含有比率（含有量）を参照して判断を行うようにしてもよい。
【０１１１】
また本実施形態では、サプリメントを構成する成分の組み合わせを決定する場合のみならず、サプリメントを構成する成分の含有量までも決定するようにしてもよい。かかる場合には、例えばパントテン酸を選択した場合において、このパントテン酸を含むサプリメントの第５連関性に規定されている含有量の平均値や中央値としてもよい。
【０１１２】
なお、上述した第５連関性はニューラルネットワークで構成されていてもよく、通常の教師ありの機械学習以外に深層学習を取り入れてこれを更新するようにしてもよいことは勿論である。
【０１１３】
また、上述した参考実施形態、本実施形態において連関度は、１対１で定義されるものではなく、一方の組み合わせと他方の組み合わせとの連関度が定義され、これに基づいて上述した処理動作を行うものであってもよい。例えば、第１連関性が、サプリメントを構成する既存の各成分又は各成分の組み合わせと、既に定義された各効能との連関度を介してきていされるものであってもよい。例えば図５でいうところの「ビタミンＢ１」は、「肌のハリを良くする」と「血液をサラサラに」の２つの効能との関係がそれぞれ定義されているが、「肌のハリを良くする」と「血液をサラサラに」の組み合わせに対する「ビタミンＢ１」の連関度が定義されていてもよい。つまり、「肌のハリを良くする」と「血液をサラサラに」を一つのグループとし、このグループに対して「ビタミンＢ１」の連関度が規定されていてもよい。
【符号の説明】
【０１１４】
１  サプリメント創造探索システム
４  公衆通信網
１１  端末
１２  公衆通信網
１３  サーバ
２１  内部バス
２４  制御部
２５  操作部
２６  表示部
２７  記憶部
２９  データ入出力部
３１  音声入力部
【図１】
2019145162.tif 000003
【図２】
2019145162.tif 000004
【図３】
2019145162.tif 000005
【図４】
2019145162.tif 000006
【図５】
2019145162.tif 000007
【図６】
2019145162.tif 000008
【図７】
2019145162.tif 000009
【図８】
2019145162.tif 000010
【図９】
2019145162.tif 000011
【図１０】
2019145162.tif 000012
【図１１】
2019145162.tif 000013
【図１２】
2019145162.tif 000014